(57)【要約】【課題】  ファクシミリ装置に簡単な仕組みのプロテクトを施すことにより、不正なファクシミリ送信を防止する。【解決手段】  指定された方式でファクシミリ送信を行う通常送信モードと、Ｆコード送信モードとを切り換えるモード設定手段と、通常送信モードのとき、指定された送信方式でファクシミリ送信を行う一方、Ｆコード送信モードのときには、通常送信モードを禁止してＦコード送信のみを行う送信制御手段とを備えている。【選択図】図１
2005295048.tif 000002
【特許請求の範囲】
【請求項１】
サブアドレスとパスコードを付加したＦコード中継指示送信によって中継局に画像データを送信するファクシミリ装置において、
指定された方式でファクシミリ送信を行う通常送信モードと、Ｆコード送信モードとを切り換えるモード設定手段と、
通常送信モードのとき、指定された送信方式でファクシミリ送信を行う一方、Ｆコード送信モードのときには、通常送信モードを禁止してＦコード送信のみを行う送信制御手段とを備えているファクシミリ装置。
【請求項２】
請求項１において、上記モード設定手段は、Ｆコード送信モード設定キーと、このＦコード送信モード設定キーの操作を認証するためのパスワード入力手段とで構成されているファクシミリ装置。
【請求項３】
請求項１において、上記モード設定手段は、Ｆコード送信モード設定キーと、このＦコード送信モード設定キーの操作を認証するための認証デバイス読み取り手段とで構成されているファクシミリ装置。
【発明の詳細な説明】
【技術分野】
【０００１】
本発明は、不正なファクシミリ送信を防止するファクシミリ装置に関するものである。
【背景技術】
【０００２】
オフィスなどに設置されるファクシミリ装置から不正な（あるいは私的な）ファクシミリ送信が行われることを防止するためには、従来そのファクシミリ装置自体にプロテクトを施す方法が行われている。しかし、そのオフィスに複数台のファクシミリ装置がある場合には、１台ごとにプロテクトを実施せねばならず、手間がかかるという問題があった。
【０００３】
下記特許文献１には、ファックス装置の不正な利用を防止するために、発信元ファクシミリ装置がファクシミリデ−タを送信する正当性を具備しているかどうかを判断するファックスサ−バが開示されている。そこでは、正当性を、発信元ファクス装置に対応する発信元情報、またはＦコ−ドに基づいて判断するようになっている。
【０００４】
また、下記特許文献２には、Ｆコード入力を容易にすると共にＦコード送信を確実に行うために、ワンタッチダイヤルキーに相手先名の名称に対応させたサブアドレスやパスワード等のＦコードを登録できるファクシミリ装置が提案されている。
【特許文献１】特開２００２−１３５４５５号
【特許文献２】特開２０００−０６９２０８号
【発明の開示】
【発明が解決しようとする課題】
【０００５】
ここでＦコードを簡単に説明すると、Ｆコードとは、ＩＴＵ−Ｔの国際標準規格「Ｆコード」であって、そこではサブアドレスやパスコードの使用方法が統一されており、このＦコード対応のファクシミリ装置同士では、互いに他社製品であっても、中継同報送信や親展通信などが行えるようになっている。
【０００６】
しかし、上記特許文献１では、ファックスサーバがファクシミリ通信の際に認証することにより不正利用を防止するようになっているので、個々のファクス装置が独自に回線を使用して送信してしまうと、ファックスサーバではその不正利用を防止することはできない。
【０００７】
本発明は、ファクシミリ装置に簡単な仕組みのプロテクトを施すことにより、不正なファクシミリ送信を防止できるファクシミリ装置を提供することを目的とする。
【課題を解決するための手段】
【０００８】
上記目的のために、本発明の請求項１では、サブアドレスとパスコードを付加したＦコード中継指示送信によって中継局に画像データを送信するファクシミリ装置において、指定された方式でファクシミリ送信を行う通常送信モードと、Ｆコード送信モードとを切り換えるモード設定手段と、通常送信モードのとき、指定された送信方式でファクシミリ送信を行う一方、Ｆコード送信モードのときには、通常送信モードを禁止してＦコード送信のみを行う送信制御手段とを備えているファクシミリ装置を提案している。
【０００９】
更に請求項２では、上記モード設定手段は、Ｆコード送信モード設定キーと、このＦコード送信モード設定キーの操作を認証するためのパスワード入力手段とで構成されているファクシミリ装置を提案し、請求項３では、上記モード設定手段は、Ｆコード送信モード設定キーと、このＦコード送信モード設定キーの操作を認証するための認証デバイス読み取り手段とで構成されているファクシミリ装置を提案している。
【発明の効果】
【００１０】
請求項１−３によれば、Ｆコード送信モードのときには、送信方式の指定を禁止して、Ｆコード送信のみを行うので、Ｆコード送信用のメモリボックスが正しく設定されているファクシミリ装置以外の相手機には、ファクシミリ送信を行えない。従って、不正なファクシミリ送信を防止できる。
【００１１】
特に請求項２、３によれば、Ｆコード送信モードの設定、解除にはパスワードか認証デバイスによる認証が必要になるため、不正なファクシミリ送信を更に確実に防止できる
【発明を実施するための最良の形態】
【００１２】
以下、本発明の提案する、通常送信モードを禁止してＦコード送信のみを行うＦコード送信モードを設定できるファクシミリ装置を実施例について説明する。
【実施例１】
【００１３】
図１は、実施例のファクシミリ装置Ｆの基本構成を示すブロック図であり、図２は、その構成要素である操作表示パネル１３の正面図である。
【００１４】
このファクシミリ装置Ｆは、ソフトウェア処理によりファクシミリ装置Ｆの各部を制御するＣＰＵやそのソフトウェアを構成する各プログラム等を格納したプログラムメモリやデータ等を保持するデータメモリ（いずれも図示しない）を内部に有し、送信制御手段としての機能を備えた制御部１１と、通信回線を接続してファクシミリ通信プロトコルに従った通信を行うためのモデム部１２と、タッチパネル１３１やテンキー１３２等で構成され、Ｆコード送信モード設定キー１３４を備えた操作表示パネル１３と、原稿を読み取るためのスキャナ部１４と、スキャナ部１４によって読み取った原稿や、モデム部１２によって受信したファクシミリ通信の画像データを蓄積する画像メモリ１５と、受信したファクシミリ通信の画像データ等を印字出力するためのプリンタ部１６とを備えている。
【００１５】
操作表示パネル１３は、図２のように、タッチパネル１３１、テンキー１３２、スタートボタン１３３、Ｆコード送信モード設定キー１３４、Ｆコード送信モード表示ＬＥＤ１３５で構成されている。
【００１６】
特にこのＦコード送信モード設定キー１３４は、実施例のファクシミリ装置Ｆにおける２種類の送信モード、すなわち、指定された方式でファクシミリ送信を行う通常送信モードと、通常送信モードを禁止してＦコード送信のみを行うＦコード送信モードとを切り換えるモード設定手段として機能するキーであり、トグル操作によって、それら２つの送信モードが切り替わるようになっている。
【００１７】
ここで、その通常送信モードとＦコード送信モードを説明すれば、通常送信モードとは、タッチパネル１３１の送信先入力欄１３１Ａに直接相手側ファックス番号を入力したり、あるいは電子メールアドレスを入力して宛先指定したり、ワンタッチボタン１３１Ｂ＃１〜１３１Ｂ＃８を押して宛先指定したりして、明示的あるいは暗黙的に送信方式を指定して通常のファクシミリ送信を実行できる送信モードである。もちろんこのモードで、Ｆコード対応機種に対してＦコード通信を行うことも可能である。
【００１８】
一方、Ｆコード送信モードは、通常送信モードを禁止して、相手側ファックス番号にサブアドレスとパスコードを付加して宛先を指定するＦコード送信のみを受け付ける送信モードである。Ｆコード送信以外の指定は禁止されている。このときにもワンタッチキー１３１Ｂ＃１〜１３１Ｂ＃５のようにＦコード送信用に、送信先として相手側ファックス番号にサブアドレスとパスコードを付加して宛先を登録されているものは利用することができる。けれども、ワンタッチキー１３１Ｂ＃６〜１３１Ｂ＃８のようにファクス番号だけを登録されているものを使用することはできない。この表示例では、利用できないワンタッチキー１３１Ｂ＃６〜１３１Ｂ＃８は、グレー表示になって、利用できるワンタッチキー１３１Ｂ＃１〜１３１Ｂ＃５と区別して識別されるようになっている。
【００１９】
Ｆコード送信モード表示ＬＥＤ１３５は、ファクシミリ装置ＦがＦコード送信モードであれば点灯し、通常転送モードであれば消灯して、転送モードをユーザに通知する表示灯として機能するものである。
【００２０】
Ｆコードを使った送信では、相手側には送信されてきた原稿データを格納するためのメモリボックスが少なくとも１つ作成されており、各メモリボックスにはサブアドレスとパスコードとが設定されている。サブアドレスやパスコードは、それぞれ２０桁以内の数字によって表されるものである。メモリボックスは、Ｆコード掲示板ボックス、Ｆコード親展ボックス、Ｆコード中継同報ボックスの３種類のいずれかであるが、本発明のファクシミリ装置Ｆでは、特にそのＦコード中継同報の機能を利用して、不正なファクシミリ送信を防止するようになっている。
【００２１】
すなわち、Ｆコード中継同報では、中継先のファクシミリ番号がその中継機においてＦコード中継同報ボックスに応じて設定されており、その中継先は中継機の操作によらなければ登録、変更することはできない。従ってこのファクシミリ装置Ｆをそのような中継機に対するＦコード転送指示送信元として、ユーザにＦコード送信モードによる送信を強制するようにすれば、ファクシミリ装置Ｆからのファクシミリ送信の転送先が中継機に設定されている中継先だけに限定されるので、不正なファクシミリ送信を防止することができる。
【００２２】
そこでユーザにＦコード送信モードによる送信を強制するためには、Ｆコード送信モードへの移行と解除との操作に認証を行い、管理者のみがその操作を行えるようにする必要がある。そのためには、例えばタッチパネル１３１またはテンキー１３２をパスワード入力手段とする構成にしてもよい。この場合には、予めパスワードを設定しておく必要がある。すなわち、通常送信モード実行時に、Ｆコード送信モード設定キー１３４が操作されると、「Ｆコード送信モードにするためには、正しいパスワードを入力してください。」というようなメッセージがタッチパネル１３１に表示される。ここで、正しいパスワード（４桁ないし６桁程度の暗証番号でもよい）がタッチパネル１３１あるいはテンキー１３２から入力されれば、それが受け付けられＦコード送信モードに移行する。一方、Ｆコード送信モード実行時に、Ｆコード送信モード設定キー１３４が操作されると、「Ｆコード送信モードを解除するためには、正しいパスワードを入力して下さい。」というようなメッセージが表示され、正しいパスワードが入力された場合には、Ｆコード送信モードが解除される。ここようなＦコード送信モード設定の処理手順をフローチャートとして、図３に示す。
【００２３】
図３は、Ｆコード送信モードへの移行制御を説明するフローチャートであり、制御部１１は、Ｆコード送信モード設定キー１３４の押下げを受け付けると、「Ｆコード送信モードにするためには、正しいパスワードを入力してください。」というメッセージをタッチパネル１３１に表示して、タッチパネル１３１またはテンキー１３２からパスワード入力を受付け、一致を判別する（ステップ４０１〜４０２）。このとき、パスワードが制御部１１のデータメモリに予め記憶されているパスワードと一致すれば、Ｆコード送信モードに移行する（ステップ４０３）。
【００２４】
図４は、上記とは別構成の実施例である、磁気カードによる認証を採用したファクシミリ装置Ｆ’の基本構成を説明するブロック図である。このファクシミリ装置Ｆ’では、認証デバイスを読み取る認証デバイス読取装置である、磁気カード１７１に対するカードリーダ部１７を除いて、他の構成要素は上記のファクシミリ装置Ｆと共通であるから、それらには同一の参照符号を付けて説明を略する。
【００２５】
カードリーダ部１７は、Ｆコード送信モード設定キー１３４と共に転送モード設定手段を形成しており、Ｆコード送信モード設定キー１３４の操作を認証するために磁気カード１７１の認証コードを読み取るものである。すなわち、通常送信モード実行時に、Ｆコード送信モード設定キー１３４が操作されると、「Ｆコード送信モードにするためには、カード読取部に認証カードを通して下さい。」というようなメッセージが操作表示パネル１３のタッチパネル１３１に表示される。ここで、正しい磁気カード１７１がカードリーダ部１７によって確認された場合には、Ｆコード送信モードに移行する。一方、Ｆコード送信モード実行時に、Ｆコード送信モード設定キー１３４が操作されると、「Ｆコード送信モードを解除するためには、カード読取部に認証カードを通して下さい。」というようなメッセージが表示され、正しい磁気カード１７１がカードリーダ部１７によって確認された場合には、Ｆコード送信モードが解除される。なお、認証デバイスは磁気カード１７１には限定されず、ＩＣカードのようなものとしてもよく、更にカード以外の形状であってもよい。
【００２６】
上記のタッチパネル１３１またはテンキー１３２からのパスワード入力による認証と、カードリーダ部１７による磁気カードの認証とを併用する構成とすることももちろん可能である。
【００２７】
次いで、上記ファクシミリ装置Ｆと中継機Ｔを用いたＦコード中継同報によるファクシミリ送信の概要を図５について説明し、更に図６のフローチャートでは、中継機Ｔでのメモリボックス作成手順を説明する。
【００２８】
図５は、通信回線によって接続されたファクシミリ通信システムを概念的に示したフロー図である。図中、Ｆコード中継同報の中継局とされる中継機Ｔには、Ｆコード中継同報用に上述のメモリボックスＭが作成されており、その中継先であるファクシミリ装置Ｄ＃１〜Ｄ＃３のファックス番号が登録されている。なお、中継機ＴはＦコード中継同報中継が可能なＦコード対応機であればよいので、一般に市販されているファクシミリ装置を利用できる。
【００２９】
ここで、送信元のファクシミリ装置Ｆから、中継機Ｔのファクシミリ番号に、上述のメモリボックスＭを指定するサブアドレスとパスコードを付加して原稿３０１を送信すれば、その画像データが中継機ＴのメモリボックスＭに格納され、中継機Ｔで印字出力される（３０２）と共に、中継先であるファクシミリ装置Ｄ＃１〜Ｄ＃３にも中継同報転送され、印字出力される（３０３＃１〜３０３＃３）。従って、送信元のファクシミリ装置ＦをＦコード転送モードとしておけば、そこから中継機Ｔに登録された中継先のファクシミリ装置Ｄ＃１〜Ｄ＃３以外のファクシミリ装置にはファクシミリ送信できない上に、中継機Ｔにはファクシミリ装置Ｆの送信ログも残るので、確実な管理を行うことができる。
【００３０】
図６は、Ｆコード中継同報用のメモリボックス作成手順を示すフローチャートである。そこでは、まずメモリボックス名を入力し、更に２０桁以内のサブアドレスと、パスコードとを指定して、Ｆコード中継同報の機能を登録する（ステップ５０１）。このあと、中継先のファクス番号を登録する（ステップ５０２）。このような手順で、必要なだけ中継先を異ならせたメモリボックスを必要な個数登録すれば、中継機Ｔでの登録が完了する。
【図面の簡単な説明】
【００３１】
【図１】本発明の実施例であるファクシミリ装置の基本構成を示すブロック図である。
【図２】操作表示パネルの平面図である。
【図３】Ｆコード送信モードへの移行制御を説明するフローチャートである。
【図４】別構成の実施例であるファクシミリ装置の基本構成を説明するブロック図である。
【図５】Ｆコード同報中継を行うファクシミリ通信システムのフロー図である。
【図６】中継機でのメモリボックス作成手順を示すフローチャートである。
【符号の説明】
【００３２】
１１      制御部（送信制御手段）
１７      カードリーダ部（認証デバイス読取手段）
１３２    テンキー（パスワード入力手段）
１３４    Ｆコード送信モード設定キー
１７１    磁気カード（認証デバイス）
Ｆ、Ｆ’  ファクシミリ装置
【図１】
2005295048.tif 000003
【図２】
2005295048.tif 000004
【図３】
2005295048.tif 000005
【図４】
2005295048.tif 000006
【図５】
2005295048.tif 000007
【図６】
2005295048.tif 000008